(57)【特許請求の範囲】
【請求項１】
受枠に装着した桝蓋或いは溝蓋を取外し可能に固定する取付構造であって、受枠に形成される段又は受枠に固着のブロックと、桝蓋或いは溝蓋に進退可能に取付けられ、前記段又はブロックに係合ないし係合可能な位置と、該位置より退避し、桝蓋或いは溝蓋を取外すときに段又はブロックとは係合しない位置とに切換操作可能な係止爪とよりなる桝蓋或いは溝蓋の取付構造において、前記係止爪が斜め上下方向に進退しうるように受枠にガイド手段によって案内されることを特徴とする桝蓋或いは溝蓋の取付構造。
【請求項２】
受枠に装着した桝蓋或いは溝蓋を取外し可能に固定する取付構造であって、受枠に形成される段と、桝蓋或いは溝蓋に進退可能に取付けられ、前記段に係合ないし係合可能な位置と、該位置より退避し、桝蓋或いは溝蓋を取外すときに前記段とは係合しない位置とに切換操作可能な係止爪とよりなる桝蓋或いは溝蓋の取付構造において、前記段は下枠と、該下枠に内嵌する上枠より構成される受枠の上枠下端で形成され、また前記係止爪が斜め上下方向に進退しうるように受枠にガイド手段によって案内されることを特徴とする桝蓋或いは溝蓋の取付構造。
【請求項３】
受枠に装着した桝蓋或いは溝蓋を取外し可能に固定する取付構造であって、受枠に形成される段又は受枠に固着のブロックと、桝蓋或いは溝蓋に進退可能に取付けられ、前記段又はブロックに係合ないし係合可能な位置と、該位置より退避し、桝蓋或いは溝蓋を取外すときに段又はブロックとは係合しない位置とに切換操作可能な係止爪とよりなる桝蓋或いは溝蓋の取付構造において、桝蓋或いは溝蓋に取着のブラケットと、該ブラケットに取着の係止爪を有し、ブラケットと係止爪のいずれか一方に、縦孔部分と該縦孔部分より側方に突出する折曲部分よりなる鉤孔と、縦孔を形成すると共に、他方に縦孔と鉤孔にそれぞれ嵌合するピンを突設し、係止爪が受枠の段又はブロックに係合ないし係合可能な位置にあるとき鉤孔に嵌合するピンが鉤孔の縦孔部分に位置し、係止爪を段又はブロックに係合しない位置に退避させたときは、鉤孔に嵌合するピンが鉤孔の縦孔部分より側方に突出する折曲部分に位置することを特徴とする桝蓋或いは溝蓋の取付構造。
【発明の詳細な説明】
【０００１】
【発明が属する技術分野】
本発明は、主としては道路の路肩に設置される排水桝に装着される桝蓋、或いは排雪口に装着される蓋や排水溝に装着される溝蓋（以下、単に「桝蓋等」という）を取外し可能に固定することができる取付構造に関する。
【０００２】
【従来技術】
桝蓋等を固定する方法としては受枠と、受枠に装着される桝蓋等とをチェーンや針金等で縛り付けて固定する方法、受枠に固着したボルトに桝蓋等を嵌め込んでナットを締込み固定する方法、実公昭５９−１２３１０号に示されるように桝蓋等の端板にクリップを押し込んで取付け、受枠への装着時にクリップを受枠に食い込ませて固定する方法等がある。
【０００３】
【発明が解決しようとする課題】
本発明は、受枠に装着した桝蓋等を受枠に取外し不可に、或いは取外し可能に切換えるのが容易かつ簡単に行えるような桝蓋等の取付構造を提供することを目的とする。
【０００４】
【発明の解決手段】
請求項１記載の発明は、受枠に装着した桝蓋等を取外し可能に固定する取付構造であって、受枠に装着した桝蓋等を取外し可能に固定する取付構造であって、受枠に形成される段又は受枠に固着のブロックと、桝蓋等に進退可能に取付けられ、前記段又はブロックに係合ないし係合可能な位置と、該位置より退避し、桝蓋等を取外すときに段又はブロックとは係合しない位置とに切換操作可能な係止爪とよりなる桝蓋等の取付構造において、前記係止爪が斜め上下方向に進退しうるように受枠にガイド手段によって案内されることを特徴とする。
【０００５】
本発明におけるガイド手段は、例えば受枠と係止爪のいづれか一方に形成される傾斜した長孔又は溝と、他方に突設され、上記長孔又は溝にスライド可能に嵌合する一対のピン又は長細いスライダーより構成される。
本発明によると、係止爪を段又はブロックに係合ないし係合可能な位置に切換えることによって、桝蓋等を持ち上げると、係止爪が段又はブロックに引掛かり、取外しできなくなる。一方、係止爪を退避位置に引込めると、桝蓋等を持上げても係止爪が段又はブロックに引掛からないため取外しが可能となる。本発明における受枠は、単体より構成されていてもよいし、複数の枠体、例えば下枠と、該下枠に嵌合する上枠より構成されてもよい。上枠と下枠より構成する場合にはことに、両枠にそれぞれ互いに対向するボルト通し部を形成して、両ボルト通し部を座金やスペーサ等を介してボルトで連結したり、上枠を下枠に内嵌させるのが望ましい。
【０００６】
したがって請求項２記載の発明は、受枠に装着した桝蓋等を取外し可能に固定する取付構造であって、受枠に形成される段と、桝蓋等に進退可能に取付けられ、前記段に係合ないし係合可能な位置と、該位置より退避し、桝蓋等を取外すときに前記段とは係合しない位置とに切換操作可能な係止爪とよりなる桝蓋等の取付構造において、前記段は下枠と、該下枠に内嵌する上枠より構成される受枠の上枠下端で形成され、また前記係止爪が斜め上下方向に進退しうるように受枠にガイド手段によって案内されることを特徴とする。
本発明によると、下枠に上枠を内嵌させることにより上枠と下枠とで段を形成することができるようになり、また両枠よりそれぞれ側方に突出するフランジやボルト取付部間にスペーサや座金を介在させ、スペーサの厚みや座金の数を変えることによって、或いはまた下枠又は上枠のフランジやボルト取付部にボルトを捩込んで、その捩込み量を変えることによってフランジ間やボルト取付部間の間隔を変え、受枠の高さ調整を行うことが可能となる。
【０００７】
請求項３記載の発明は、受枠に装着した桝蓋等を取外し可能に固定する取付構造であって、受枠に形成される段又は受枠に固着のブロックと、桝蓋等に進退可能に取付けられ、前記段又はブロックに係合ないし係合可能な位置と、該位置より退避し、桝蓋等を取外すときに段又はブロックとは係合しない位置とに切換操作可能な係止爪とよりなる桝蓋等の取付構造において、桝蓋等に取着のブラケットと、該ブラケットに取着の係止爪を有し、ブラケットと係止爪のいずれか一方に、縦孔部分と該縦孔部分より側方に突出する折曲部分よりなる鉤孔と、縦孔を形成すると共に、他方に縦孔と鉤孔にそれぞれ嵌合するピンを突設し、係止爪が受枠の段又はブロックに係合ないし係合可能な位置にあるとき鉤孔に嵌合するピンが鉤孔の縦孔部分に位置し、係止爪を段又はブロックに係合しない位置に退避させたときは、鉤孔に嵌合するピンが鉤孔の縦孔部分より側方に突出する折曲部分に位置することを特徴とする。
【０００８】
本発明によると、係止爪が受枠の段又はブロックに係合ないし係合可能な位置にあるとき、両ピンがそれぞれ縦孔と鉤孔の縦孔部分に位置することにより、係止爪に横向きの力が加わっても動くことはなく、縦孔と鉤孔の縦孔部分の範囲内で上下動のみ可能となる。
また鉤孔に嵌合するピンが鉤孔の折曲部分にあるときは、係止爪は回動可能となり、桝蓋等を取外すときに段又はブロックに係合しない位置に退避可能となる。
【０００９】
【発明の実施の形態】
以下、本発明の一実施形態を図面により説明する。図１は、蓋を装着した排水桝の平面図であり、図２は図１のＡ−Ａ線断面図で、排水桝を構成する受枠１は図２に示すように上面を開放した長方形の箱状をなす下枠１ｂと、下枠１ｂに内嵌して下端が下枠１ｂと段をなす長方形の上枠１ａよりなり、下枠１ｂ及び上枠１ａにはそれぞれボルト通し部２を互いに対向して突設し、ボルト通し部同士を直接或いはボルト通し部間に１ないし複数の座金を重ねて介在させて高さ調整をしたのちボルトを通して連結するようにしている。図中、３は下枠１ｂに連結される排水管である。
【００１０】
蓋５は格子状をなし、裏面の各コーナ部には上枠１ａに嵌合する断面Ｌ形のスカート６を下向きに突設し、前後の両スカート間にブラケット７が対称をなして突設されている。
係止爪９は図３〜図５に詳細に示されるように、縦孔１１と、鉤孔１２と、上端に側方に突出する操作用のピン１３を有し、鉤孔１２は縦孔部分と縦孔部分下側部より側方に突出する折曲部分よりなり、ブラケット７に取付けた一対のボルトよりなるピン１４がそれぞれ縦孔１１と鉤孔１２に通されている。
【００１１】
本実施形態は以上のように構成され、蓋５を受枠１に装着した図３の状態においては、各係止爪９はその自重により縦孔上端と鉤孔上端がそれぞれピン１４に係止した状態で垂れ下がって支持され、爪部９ａが上枠１ａの下方に位置し、蓋５を持ち上げたとき、爪部９ａが段を構成する上枠下端と係合し、それ以上の持上げができないようになっている。
この状態で係止爪９はピン１４がそれぞれ縦孔１１と、鉤孔１２の縦孔部分に嵌合することにより引上げのみ可能で、側方の動きは拘束されるため横方向の外力が加わっても爪部９ａが上枠１ａへの係合位置より退避することはない。
【００１２】
蓋５を取外すときには、ピン１３に指を掛けて引上げ、縦孔下端がピン１４に当たったのち（図４）、なおもピン１３を引上げると、各係止爪９がそれぞれ縦孔１１に嵌合するピン１４を支点とし、鉤孔１２に嵌合するピン１４を折曲部分内に移動させながら内向きに回動し、爪部９ａを上枠下端の段との係合位置より退避させる。この状態でピン１３を掴んで引上げると、蓋５が受枠１より持上げられる（図５）。ピン１３に掛けた指を離すと、係止爪９は自重によりピン１４に案内されて外向きに回動しながら降下する。この動きは縦孔上端と鉤孔上端がピン１４に係止するまで行われ、係止すると、停止する。このとき係止爪先端９ａが上枠下端の下方に位置する（図３）。なお、上述のスカート６は蓋５が傾くことなく真直ぐスムースに引上げられ、或いは降下するようにするためのガイドとしての機能を果たす。スカート６はまた、図３の状態において、蓋が左右いづれか一方側へ撥ね上がろうとするとき、上枠１ａに当たって蓋５の一定量以上の撥ね上がりを阻止する機能を有する。
【００１３】
図６及び図７に示す排水桝は、受枠２１が単体より構成されて、左右両内側上部にブロック２２が固着され、蓋２３の左右に上記と同様にして取付けられた係止爪２４の爪部２４ａが蓋２３の引上げ時にブロック２２に係合する位置と、ブロック２２とは係合しない位置とに切換操作できるようになっている。
【００１４】
図８に示す排水桝においては、係止爪２６に傾斜した長孔２７が形成されて、該長孔２７にブラケット２８に固着される一対のピン２９が嵌合し、係止爪２６が斜め上下方向にのみ進退し、実線位置において爪部２６ａが上枠３０ａ下端の下方に位置して蓋３１の一定量以上の持上げを阻止し、また操作用のピン３２を掴んで係止爪２６を実線位置より斜め上方に引上げると、爪部２６ａが上枠下端との非係合位置に退避するようになっている。
【００１５】
【発明の効果】
請求項１記載の発明によると、係止爪を進退させて受枠の段又はブロック等に係合ないし係合可能な位置に、或いは非係合位置に切換操作するだけの簡単な操作で、桝蓋等を受枠より取外し不可に、或いは取外し可能にすることができること、係止爪が桝蓋等の上を走行する車両等の振動により退避して段やブロック等より不用意に外れるのを防止することができることなどの効果を有する。
請求項２記載の発明によると、上枠下端で段を形成できるようになり、段を形成するために受枠に特別な加工をする必要がなく、また受枠の高さ調整を行うこともできる。
【００１７】
請求項３記載の発明においては、受枠の段又はブロック等に係合ないし係合可能な位置では係止爪を引き上げる方向にのみ移動可能で、係止爪に横向きの力が加わっても非係合位置に退避することはなく、係合ないし係合可能な位置に拘束することができる。
【図面の簡単な説明】
【図１】排水桝の平面図。
【図２】図１のＡ−Ａ線断面図。
【図３】蓋が受枠に拘束状態にあるときの断面図。
【図４】係止爪を持ち上げたときの状態を示す断面図。
【図５】蓋を持ち上げた状態を示す断面図。
【図６】排水桝の別の例の平面図。
【図７】図６に示す排水桝の縦断面図。
【図８】係止爪の別の例を示す図。
【符号の説明】
１、２１・・受枠
１ａ、３０ａ・・上枠
１ｂ・・下枠
２・・ボルト通し孔
３・・配水管
４・・ボルト
５、２３、３１・・蓋
６・・スカート
７・・ブラケット
９、２４、２６・・係止爪
９ａ・・爪部
１１・・縦孔
１２・・鉤孔
１３、１４、２９、３２・・ピン
２２・・ブロック
２７・・長孔
【図１】
0004225660.tif 000002
【図２】
0004225660.tif 000003
【図３】
0004225660.tif 000004
【図４】
0004225660.tif 000005
【図５】
0004225660.tif 000006
【図６】
0004225660.tif 000007
【図７】
0004225660.tif 000008
【図８】
0004225660.tif 000009